(57)【要約】【課題】大きさ及び形状の異なる少なくとも２種類の配線器具に対応させて使い分ける必要が無く、それら少なくとも２種類の配線器具を配線用ボックスに設置可能とすることができるボックスカバーを提供する。【解決手段】ボックスカバー１１の開口１１ａの周縁部には立設部１３が形成されている。立設部１３の一対の短辺にはそれぞれ第１固定孔１４ａが形成され、一対の長辺にはそれぞれ一対の第２固定孔１５ａが形成されている。第１固定孔１４ａ間のピッチは８３．５ｍｍに設定され、このピッチはコンセントを保持する配線器具枠１７に形成された一対のビス孔１７ａ間のピッチに対応している。第２固定孔１５ａ間のピッチは６６．７ｍｍに設定され、このピッチは火災報知器に形成された一対のビス孔間のピッチに対応している。【選択図】      図２
2004254495.tif 000002
【特許請求の範囲】
【請求項１】
配線用ボックスの開口側に取り付けられるとともに、配線器具が取着された配線器具枠又は配線器具が固定されて前記配線器具を前記配線用ボックスに設置するためのボックスカバーであって、
表面及び裏面の各面において、前記配線用ボックス内に前記配線器具を挿入するための開口の縁部には、前記配線器具枠又は配線器具に形成された一対のビス孔に挿通されたビスを固定可能とする一対の固定孔よりなる固定部が少なくとも１箇所ずつ設けられ、表面の固定部における一対の固定孔間のピッチと、裏面の固定部における一対の固定孔間のピッチは、それぞれ異なる一対のビス孔間のピッチと対応するように設定されていることを特徴とするボックスカバー。
【請求項２】
前記表面の固定部における一対の固定孔を結ぶ仮想線を通り、該表面に対して直交する仮想面と、裏面の固定部における一対の固定孔を結ぶ仮想線を通り、該裏面に対して直交する仮想面とが互いに交差するように、各面の固定部の位置が設定されていることを特徴とする請求項１に記載のボックスカバー。
【請求項３】
配線用ボックスの開口側に取り付けられるとともに、配線器具が取着された配線器具枠又は配線器具が固定されて前記配線器具を前記配線用ボックスに設置するためのボックスカバーであって、
前記配線用ボックス内に前記配線器具を挿入するための開口の縁部には、前記配線器具枠又は配線器具に形成された一対のビス孔から挿通されたビスが固定される一対の固定孔よりなる固定部が複数箇所に設けられ、少なくとも２箇所の固定部における一対の固定孔間のピッチは、２種類の一対のビス孔間のピッチと対応するように設定されているとともに、前記少なくとも２箇所の固定部は、相対向する一対の固定孔を結ぶ仮想線が交差する位置に設けられていることを特徴とするボックスカバー。
【請求項４】
前記開口の縁部に厚みを有するように外方へ突設された立設部に、前記固定部が少なくとも２箇所に設けられているとともに、少なくとも１箇所の固定部の固定孔は、前記立設部の外側方に開放するように該立設部に凹設された凹部内に設けられ、該凹部には、前記配線用ボックスをコンクリート壁に埋設する際にコンクリートが流れ込むことを特徴とする請求項３に記載のボックスカバー。
【請求項５】
前記凹部は、該凹部内へ前記コンクリートが流れ込むことを防止するためのキャップ部材を着脱可能に形成されていることを特徴とする請求項４に記載のボックスカバー。
【請求項６】
前記凹部には、該凹部内へ前記コンクリートが流れ込むことを防止すべく外側方への開放を遮断する遮断壁が設けられ、該遮断壁は、凹部内にコンクリートを流れ込ませる際には除去可能に設けられていることを特徴とする請求項４に記載のボックスカバー。
【請求項７】
２種類存在する前記固定部における一対の固定孔間のピッチは、前記配線器具枠に形成された一対のビス孔間のピッチと、報知器等に形成された一対のビス孔間のピッチとに対応するように設定されていることを特徴とする請求項１〜請求項６のいずれか一項に記載のボックスカバー。
【発明の詳細な説明】
【技術分野】
【０００１】
本発明は、例えば大きさ及び形状の異なる配線器具を固定可能とするボックスカバーに関する。
【背景技術】
【０００２】
従来より、建築物のコンクリート壁にコンセント等の配線器具を設置するには、有底四角箱状をなす配線用ボックスと、その配線用ボックスに取り付けられる枠状をなすボックスカバーとが使用されている（例えば、特許文献１参照。）。即ち、配線用ボックスの開口部にボックスカバーを取り付け、その配線用ボックスを前記コンクリート壁に埋設した後、そのボックスカバーに配線器具を保持した配線器具枠又は配線器具を取り付ける。すると、配線器具が配線用ボックスに設置されるとともに、同配線器具がコンクリート壁に設置される。
【０００３】
前記ボックスカバーは枠状をなし、その中央には長方形又は丸形の開口が形成され、さらに開口の周縁部の相対向する位置には一対の固定孔（取付孔）が形成されている。一対の固定孔間のピッチは、長方形の開口を有するボックスカバーと、丸形の開口を有するボックスカバーとで異なる値に設定されている。
【特許文献１】特開平７−２４１０１９号公報（第３〜第４頁、第１〜第８図）
【発明の開示】
【発明が解決しようとする課題】
【０００４】
ところが、従来のボックスカバーは、同ボックスカバーに固定される配線器具枠又は配線器具の大きさ及び形状に対応して、開口の形状及び一対の固定孔間のピッチが設定されている。そのため、上記従来のボックスカバーには、固定孔間のピッチと対応するピッチを有するビス孔が形成された１種類の配線器具枠又は配線器具しか固定することができない。従って、従来のボックスカバーを使用した場合、配線用ボックスには特定の大きさ及び形状の１種類の配線器具しか設置することができないという問題があった。また、例えば、コンセントをコンクリート壁に設置する場合には、長方形をなす開口が形成されたボックスカバーが使用され、火災報知器をコンクリート壁に設置する場合には、丸形をなす開口が形成されたボックスカバーが使用される。即ち、ボックスカバーには、その開口の形状に対応する特定の１種類の配線器具しか固定することができず、配線器具に対応させてボックスカバーを使い分けなければならないという問題があった。
【０００５】
本発明は、上記従来技術に存在する問題点に着目してなされたものである。その目的とするところは、大きさ及び形状の異なる少なくとも２種類の配線器具に対応させて使い分ける必要が無く、それら少なくとも２種類の配線器具を配線用ボックスに設置可能とすることができるボックスカバーを提供することにある。
【課題を解決するための手段】
【０００６】
上記問題点を解決するために、請求項１に記載の発明は、配線用ボックスの開口側に取り付けられるとともに、配線器具が取着された配線器具枠又は配線器具が固定されて前記配線器具を前記配線用ボックスに設置するためのボックスカバーであって、表面及び裏面の各面において、前記配線用ボックス内に前記配線器具を挿入するための開口の縁部には、前記配線器具枠又は配線器具に形成された一対のビス孔に挿通されたビスを固定可能とする一対の固定孔よりなる固定部が少なくとも１箇所ずつ設けられ、表面の固定部における一対の固定孔間のピッチと、裏面の固定部における一対の固定孔間のピッチは、それぞれ異なる一対のビス孔間のピッチと対応するように設定されていることを要旨とする。
【０００７】
請求項２に記載の発明は、請求項１に記載のボックスカバーにおいて、前記表面の固定部における一対の固定孔を結ぶ仮想線を通り、該表面に対して直交する仮想面と、裏面の固定部における一対の固定孔を結ぶ仮想線を通り、該裏面に対して直交する仮想面とが互いに交差するように、各面の固定部の位置が設定されていることを要旨とする。
【０００８】
請求項３に記載の発明は、配線用ボックスの開口側に取り付けられるとともに、配線器具が取着された配線器具枠又は配線器具が固定されて前記配線器具を前記配線用ボックスに設置するためのボックスカバーであって、前記配線用ボックス内に前記配線器具を挿入するための開口の縁部には、前記配線器具枠又は配線器具に形成された一対のビス孔から挿通されたビスが固定される一対の固定孔よりなる固定部が複数箇所に設けられ、少なくとも２箇所の固定部における一対の固定孔間のピッチは、２種類の一対のビス孔間のピッチと対応するように設定されているとともに、前記少なくとも２箇所の固定部は、相対向する一対の固定孔を結ぶ仮想線が交差する位置に設けられていることを要旨とする。
【０００９】
請求項４に記載の発明は、請求項３に記載のボックスカバーにおいて、前記開口の縁部に厚みを有するように外方へ突設された立設部に、前記固定部が少なくとも２箇所に設けられているとともに、少なくとも１箇所の固定部の固定孔は、前記立設部の外側方に開放するように該立設部に凹設された凹部内に設けられ、該凹部には、前記配線用ボックスをコンクリート壁に埋設する際にコンクリートが流れ込むことを要旨とする。
【００１０】
請求項５に記載の発明は、請求項４に記載のボックスカバーにおいて、前記凹部は、該凹部内へ前記コンクリートが流れ込むことを防止するためのキャップ部材を着脱可能に形成されていることを要旨とする。
【００１１】
請求項６に記載の発明は、請求項４に記載のボックスカバーにおいて、前記凹部には、該凹部内へ前記コンクリートが流れ込むことを防止すべく外側方への開放を遮断する遮断壁が設けられ、該遮断壁は、凹部内にコンクリートを流れ込ませる際には除去可能に設けられていることを要旨とする。
【００１２】
請求項７に記載の発明は、請求項１〜請求項６のいずれか一項に記載のボックスカバーにおいて、２種類存在する前記固定部における一対の固定孔間のピッチは、前記配線器具枠に形成された一対のビス孔間のピッチと、報知器等に形成された一対のビス孔間のピッチとに対応するように設定されていることを要旨とする。
【発明の効果】
【００１３】
本発明によれば、大きさ及び形状の異なる少なくとも２種類の配線器具に対応させて使い分ける必要が無く、それら少なくとも２種類の配線器具を配線用ボックスに設置可能とすることができる。
【発明を実施するための最良の形態】
【００１４】
以下、本発明を具体化した第１及び第２実施形態について説明する。なお、第２実施形態においては第１実施形態との相違点についてのみ説明する。
（第１実施形態）
図２に示すように、ボックスカバー１１は、有底四角箱状をなす配線用ボックス１２の開口側に取付けられ、配線器具を配線用ボックス１２に設置するためのものである。具体的に説明すると、図１に示すように、合成樹脂製のボックスカバー１１は略四角枠状に形成され、その中央部には開口１１ａが形成されている。この開口１１ａは前記配線用ボックス１２内に収容される配線器具（図示せず）を、ボックスカバー１１から配線用ボックス１２内に挿入するために形成されている。開口１１ａはボックスカバー１１の上下に延びる正面視細長四角形状に形成されている。
【００１５】
また、図２に示すように、ボックスカバー１１の表面において、前記開口１１ａの周縁部には立設部１３が設けられ、この立設部１３は一定の厚みを有するように外方（表面側）へ突出する細長四角枠状に形成されている。前記立設部１３において、開口１１ａを形成する相対向する一対の短辺の中央部には、それぞれ第１固定孔１４ａが立設部１３を貫通して設けられ、それら第１固定孔１４ａは立設部１３の端面に臨むように形成されている。そして、一対の第１固定孔１４ａにより一方の固定部としての第１固定部１４が構成され、この第１固定部１４により配線器具枠１７をボックスカバー１１に固定することが可能となる。
【００１６】
また、立設部１３において、開口１１ａを形成する相対向する一対の長辺の中央部には、凹部１３ｃが立設部１３の表面から裏面側に向かって一定深さだけ後退するように形成されている。さらに、各凹部１３ｃは立設部１３の外側方に向かって開放するように該立設部１３に凹設されている。各凹部１３ｃの内底面には第２固定孔１５ａが臨むように立設部１３を貫通して設けられ、一対の第２固定孔１５ａにより他方の固定部としての第２固定部１５が構成されている。そして、この第２固定部１５により、配線器具（図示せず）をボックスカバー１１に固定することが可能となる。また、図１に示すように、立設部１３において、凹部１３ｃを除いた立設部１３の前面における幅方向への長さＤは７０ｍｍに設定されている。
【００１７】
図２に示すように、前記各凹部１３ｃはそれぞれキャップ部材Ｃを着脱可能に形成され、合成樹脂製の前記キャップ部材Ｃは、それぞれ凹部１３ｃの形状とほぼ同形状をなし、厚みは凹部１３ｃの深さとほぼ同じに形成されている。そして、図７に示すように、キャップ部材Ｃが凹部１３ｃに内嵌されると、キャップ部材Ｃの一面（表面）と、立設部１３の表面とが面一となる。
【００１８】
ここで、図１に示すように、前記一対の第１固定孔１４ａの中心点同士を結んだ仮想線をＬ１とし、前記一対の第２固定孔１５ａの中心点同士を結んだ仮想線をＬ２とする。このとき、第１固定孔１４ａと第２固定孔１５ａとは前記仮想線Ｌ１と仮想線Ｌ２とがボックスカバー１１の正面視的に交差する位置、具体的には直交する位置となるように配置されている。前記仮想線Ｌ１の長さ、即ち一対の第１固定孔１４ａ間のピッチは８３．５ｍｍに設定され、前記仮想線Ｌ２の長さ、即ち一対の第２固定孔１５ａ間のピッチは６６．７ｍｍに設定されている。
【００１９】
図１に破線に示すように、ボックスカバー１１の裏面には、リブ１６がボックスカバー１１の周縁部に沿って延びるように形成されている。リブ１６において、ボックスカバー１１の四辺の両端部となる位置には、それぞれ係合凹部１６ａが凹設され、各係合凹部１６ａはそれぞれボックスカバー１１を配線用ボックス１２に取り付けるために形成されている。
【００２０】
次に、前記配線用ボックス１２について説明する。図２に示すように、合成樹脂製の配線用ボックス１２は有底四角箱状に形成されている。同配線用ボックス１２の開口部側に位置する四側壁外面の両端部にはそれぞれ係合突起１２ｂが形成され、各係合突起１２ｂはそれぞれ前記係合凹部１６ａと係合可能に形成されている。
【００２１】
続いて、配線器具枠１７について説明する。合成樹脂又は金属製の配線器具枠１７は四角板状をなし、中央部に配線器具（図示せず）を取着可能に形成されている。また、配線器具枠１７の長さ方向における両端部にはそれぞれビス孔１７ａが形成され、配線器具枠１７をボックスカバー１１に取り付けるため、それら一対のビス孔１７ａは前記一対の第１固定孔１４ａと対応する位置に形成されている。即ち、一対のビス孔１７ａ間のピッチは８３．５ｍｍに設定されている。
【００２２】
図６に示すように、前記配線器具枠１７を覆うための化粧プレート１９は細長四角板状をなし、中央部には配線器具（図示せず）が貫通可能な貫通孔１９ａが貫設されている。上記化粧プレート１９は、長さ方向（縦方向）への長さは１２０ｍｍに設定され、幅方向（横方向）への長さは７０ｍｍに設定されている（例えば、松下電工（株）製の商品名モダンプレート、東芝ライテック（株）製の商品名コンセントプレート、神保電器（株）製の商品名コンセントプレート）。
【００２３】
さらに、図８に示すように、ボックスカバー１１に固定される配線器具のうちの報知器等としての火災報知器２２は、円形状をなす鍔部２２ａを備え、鍔部２２ａの中央部に報知器本体２２ｃが設けられている。また、前記鍔部２２ａにおいて、報知器本体２２ｃを挟んだ相対向する位置には、一対のビス孔２２ｂが穿設されている。この一対のビス孔２２ｂ間のピッチ、即ちビス孔２２ｂの中心点同士を結んだ直線の長さは６６．７ｍｍに設定されている。なお、報知器等とは、前記火災報知器２２、熱感知器、煙検知器、ガス漏れ警報器を含む概念である。
【００２４】
さて、上記ボックスカバー１１の使用方法について説明する。始めに、凹部１３ｃが凹設されていない第１固定部１４を使用する場合について説明する。まず、係合突起１２ｂと係合凹部１６ａとを係合させることにより、ボックスカバー１１を配線用ボックス１２にワンタッチで取り付ける。次いで、図３に示すように、コンクリート壁Ｗを構築するために一対の型枠２０を立設し、一方の型枠２０の裏面に立設部１３の表面全体が密接するように、配線用ボックス１２を図示しない支持手段により型枠２０内に支持させる。
【００２５】
そして、コンクリート壁Ｗを構築すべく一対の型枠２０の間にコンクリートが打設されると、凹部１３ｃは立設部１３の外側方に向かって開放されているため、コンクリートは凹部１３ｃ内に流れ込み、第２固定孔１５ａはコンクリートにより埋められる。コンクリートが硬化した後に、一対の型枠２０を除去すると、図４に示すように、コンクリート壁Ｗが構築されるとともに、図４に破線に示すように、そのコンクリート壁Ｗにボックスカバー１１及び配線用ボックス１２が埋設される。コンクリート壁Ｗにボックスカバー１１及び配線用ボックス１２が埋設された状態では、凹部１３ｃを除いた立設部１３の表面と、第１固定孔１４ａとがコンクリート壁Ｗの前面側に露出し、第２固定孔１５ａはコンクリート壁Ｗに埋没している。
【００２６】
続いて、図５に示すように、コンセント２１を配線器具枠１７の中央部に取着する。次いで、配線器具枠１７の各ビス孔１７ａから挿通されたビス１８を第１固定孔１４ａに固定する。このとき、一対のビス孔１７ａ間のピッチは８３．５ｍｍに設定され、第１固定孔１４ａ間のピッチも８３．５ｍｍに設定されているため、配線器具枠１７はボックスカバー１１に速やかに固定される。
【００２７】
そして、コンセント２１が取着された配線器具枠１７がボックスカバー１１に固定されるとともに、コンセント２１が配線用ボックス１２に設置される。このとき、配線器具枠１７により立設部１３は上下方向に沿って被覆され、立設部１３の左右両側部は配線器具枠１７の左右両側縁から外方へ突出している。続いて、図６に示すように、化粧プレート１９（例えば松下電工（株）製の商品名モダンプレート）をボックスカバー１１に取着し、その化粧プレート１９の貫通孔１９ａにコンセント２１を貫通させる。このとき、立設部１３における幅方向への長さＤは７０ｍｍに設定され、化粧プレート１９の幅方向への長さ（７０ｍｍ）と同じに設定されている。そのため、配線器具枠１７及び同配線器具枠１７の側縁から外方へ突出した立設部１３の表面が化粧プレート１９により被覆されるとともに、コンセント２１のみがコンクリート壁Ｗ前面に臨むようになる。
【００２８】
次に、凹部１３ｃの内底面に臨む第２固定孔１５ａを使用する場合、即ち凹部１３ｃが凹設された第２固定部１５を使用する場合について説明する。まず、係合突起１２ｂと係合凹部１６ａとを係合させることにより、ボックスカバー１１を配線用ボックス１２にワンタッチで取り付ける。次いで、図７に示すように、一対の凹部１３ｃそれぞれにキャップ部材Ｃを内嵌し、そのキャップ部材Ｃの表面と立設部１３の表面とを面一にするとともに、第２固定孔１５ａを閉鎖する。そして、上記と同様にコンクリートを打設してコンクリート壁Ｗを構築する。
【００２９】
コンクリート打設時、キャップ部材Ｃにより凹部１３ｃは外側方及び前方に開放されることがないため、該凹部１３ｃ内にコンクリートが流れ込むことが防止され、第２固定孔１５ａがコンクリートによって埋められることはない。そして、図８に示すように、型枠２０及びキャップ部材Ｃを除去すると、コンクリート壁Ｗが構築され、配線用ボックス１２がコンクリート壁Ｗに埋設される。図８に破線に示すように、立設部１３の表面と、第１固定孔１４ａ及び第２固定孔１５ａとがコンクリート壁Ｗの前面側に露出している。
【００３０】
そして、火災報知器２２の一対のビス孔２２ｂから第２固定孔１５ａにビス（図示せず）を固定することにより、火災報知器２２がボックスカバー１１に取り付けられ、同火災報知器２２が配線用ボックス１２に設置される。このとき、一対のビス孔２２ｂ間のピッチは６６．７ｍｍに設定され、第２固定孔１５ａ間のピッチも６６．７ｍｍに設定されているため、火災報知器２２はボックスカバー１１に速やかに固定される。なお、鍔部２２ａにより立設部１３全体が被覆され、コンクリート壁Ｗの表面には鍔部２２ａ及び報知器本体２２ｃが露出した状態で火災報知器２２が設置される。
【００３１】
従って、コンクリート壁Ｗに設置しようとする配線器具（コンセント２１又は火災報知器２２）の大きさ及び形状に対応させて第１固定部１４又は第２固定部１５を選択することにより、１枚のボックスカバー１１に大きさ及び形状の異なる２種類の配線器具を固定することが可能となる。
【００３２】
上記実施形態によれば、以下のような効果を得ることができる。
（１）ボックスカバー１１の開口１１ａの周縁部に第１固定孔１４ａよりなる第１固定部１４と、第２固定孔１５ａよりなる第２固定部１５とを設けた。そのため、１つの開口１１ａを有する一枚のボックスカバー１１に対して、一対のビス孔１７ａ，２２ｂ間のピッチの異なる配線器具枠１７と火災報知器２２を固定可能とすることができる。即ち、大きさ及び形状の異なるコンセント２１と火災報知器２２とを、ボックスカバー１１を介して配線用ボックス１２に設置することができる。また、大きさ及び形状の異なる２種類の配線器具を特定の大きさの配線用ボックス１２に設置する場合、各配線器具に対応する固定部及び開口形状を有する２種類のボックスカバー１１を準備し、使い分ける必要がない。その結果、ボックスカバー１１を使用して、配線用ボックス１２に対する配線器具の設置作業を容易に行うことができ、さらに、施工現場に搬入するボックスカバー１１の個数を減らすことができる。
【００３３】
（２）仮想線Ｌ１と仮想線Ｌ２とが直交するように第１固定孔１４ａ及び第２固定孔１５ａを形成した。そのため、例えば、立設部１３の相対向する一対の長辺に第１及び第２固定孔１４ａ，１５ａを並べて形成する場合と比較して、開口１１ａの長さ方向への長さを短くすることができる。従って、ボックスカバー１１において、開口１１ａが大きくなることによってボックスカバー１１の強度が低下するといった不具合を無くすことができる。また、開口１１ａが大きくなることにより、開口１１ａさらには立設部１３を被覆するための化粧プレート１９又は火災報知器２２の鍔部２２ａの大型化を招くことが無くなる。
【００３４】
（３）仮想線Ｌ１と仮想線Ｌ２とが直交し、さらに、第１固定部１４はそれぞれ立設部１３の短辺の中央部に形成され、第２固定部１５はそれぞれ立設部１３の長辺の中央部に形成されている。そのため、第１固定孔１４ａと第２固定孔１５ａとはそれぞれ互いに最も離れた位置に形成され、固定部１４，１５のいずれか一方を使用したとき、他方の固定部が配線器具の固定の妨げになることを防止することができる。
【００３５】
（４）凹部１３ｃを形成したため、第１固定部１４を使用する場合は、凹部１３ｃにコンクリートを流れ込ませて第２固定孔１５ａを埋めることができる。そのため、例えば、コンクリート壁Ｗの前面に化粧プレート１９を取り付けず、コンクリート壁Ｗをコンクリート打ちっ放しの状態で使用する場合においては、第２固定孔１５ａがコンクリート壁Ｗ前面に露出せず、コンクリート壁Ｗ前面の美観が損なわれるといった不具合の発生を防止することができる。
【００３６】
（５）各凹部１３ｃにはキャップ部材Ｃが内嵌されて配線用ボックス１２及びボックスカバー１１がコンクリート壁Ｗに埋設される。そのため、第２固定孔１５ａがコンクリートに埋まることなく、第２固定部１５を使用して火災報知器２２を固定することができる。
【００３７】
（６）立設部１３において、凹部１３ｃを除いた表面の幅方向への長さＤは、一般に使用される市販の化粧プレート１９の幅方向への長さと一致している。そのため、立設部１３の凹部１３ｃのみがコンクリートに埋設された状態では化粧プレート１９により立設部１３を被覆することができる。即ち、本実施形態のボックスカバー１１を使用して配線器具を配線用ボックス１２に設置した場合でも市販の化粧プレート１９を使用することができる。
【００３８】
（第２実施形態）
図９においては第２実施形態を示す。本実施形態においては、ボックスカバーの表裏両面を使用できるように該両面それぞれに固定部が設けられている。
【００３９】
第１実施形態では、ボックスカバー１１の表面の２箇所に第１及び第２固定部１４，１５を設けたが、図９（ａ）に示すように、第２実施形態のボックスカバー２５はその表面に第１固定部２６が設けられ、図９（ｃ）に示すように、裏面に第２固定部２７が設けられている。また、図９（ｂ）に示すように、ボックスカバー２５の表面には立設部２８が立設され、裏面には立設部２９が立設されている。
【００４０】
即ち、図９（ａ）に示すように、ボックスカバー２５の表面において、開口２５ａの縁部に立設部２８が立設され、該立設部２８の相対向する一対の短辺の中央部には、それぞれ第１固定孔２６ａが設けられている。そして、一対の第１固定孔２６ａにより一方の固定部としての第１固定部２６が構成されている。一対の第１固定孔２６ａの中心点同士を結んだ仮想線をＬ３としたとき、仮想線Ｌ３の長さ、即ち一対の第１固定孔２６ａ間のピッチは８３．５ｍｍに設定されている。
【００４１】
また、図９（ｃ）に示すように、ボックスカバー２５の裏面において、開口２５ａの縁部に立設部２９が立設され、該立設部２９の相対向する一対の長辺の中央部には、それぞれ第２固定孔２７ａが設けられている。そして、一対の第２固定孔２７ａにより他方の固定部としての第２固定部２７が構成されている。第１実施形態では、第２固定部１５には凹部１３ｃが凹設されていたが、第２実施形態の第２固定部２７には凹部が凹設されていない。
【００４２】
一対の第２固定孔２７ａの中心点同士を結んだ仮想線をＬ４としたとき、仮想線Ｌ４の長さ、即ち一対の第２固定孔２７ａ間のピッチは６６．７ｍｍに設定されている。図９（ｂ）に示すように、前記第１固定部２６における仮想線Ｌ３を通り、ボックスカバー２５の表面と直交する面を仮想面Ｍ１とし、第２固定部２７における仮想線Ｌ４を通り、ボックスカバー２５の裏面と直交する面を仮想面Ｍ２とする。このとき、第１固定部２６及び第２固定部２７の位置は、仮想面Ｍ１と仮想面Ｍ２とが交差する、具体的には直交するように設定されている。  
【００４３】
また、図９（ａ）に示すように、このボックスカバー２５の表面の各コーナ部よりも内側には、それぞれ開口２５ａの周方向に沿って円弧状に延びるノックアウト部３０が設けられている。各ノックアウト部３０は、その周縁部の厚みがボックスカバー２５におけるその他の部位より薄肉に形成されているため、ボックスカバー２５から打ち抜き除去可能になっている。
【００４４】
ボックスカバー２５の一対の対角線のうち、一方の対角線上に位置する相対向する一対のノックアウト部３０には、取付孔３０ａが穿設されている。また、全てのノックアウト部３０には、丸形ノックアウト部３０ｂが形成されている。前記取付孔３０ａが穿設された一対のノックアウト部３０には、丸形ノックアウト部３０ｂが一箇所ずつ形成され、その他のノックアウト部３０には丸形ノックアウト部３０ｂが二箇所ずつ形成されている。各丸形ノックアウト部３０ｂはそれぞれボックスカバー２５から打ち抜き除去可能になっており、丸形ノックアウト部３０ｂが除去されると、ボックスカバー２５に取付孔３０ａが穿設されるようになっている。
【００４５】
このボックスカバー２５は、図示しないが、開口側にボス部が設けられた配線用ボックスに対し、前記取付孔３０ａ又は丸形ノックアウト部３０ｂが除去されて形成された取付孔３０ａから前記ボス部に取付ビスを固定することにより、該配線用ボックスに取付けられる。
【００４６】
そして、コンクリート壁Ｗに設置する配線器具に応じて、ボックスカバー２５の使用する面を選択し、配線用ボックスのボス部に対応する取付孔３０ａから該ボス部に取付ビスを固定する。その結果、ボックスカバー２５が配線用ボックスに取付けられる。このとき、使用されない固定部は配線用ボックス内に臨んだ状態となるため、コンクリート壁Ｗの前面に露出することはない。
【００４７】
なお、上記実施形態は以下のように変更してもよい。
・  立設部１３が図１０に示す形状に形成されたボックスカバー１１としてもよい。また、第１実施形態では、凹部１３ｃはその外側方が開放されるように立設部１３に凹設されていたが、図１０に示すように、凹部１３ｃの外側方となる部位に遮断壁１３ｄを形成して、外側方の開放を遮断してもよい。また、前記遮断壁１３ｄの外面において、凹部１３ｃの内底面とほぼ同じラインに沿って溝１３ｅを形成してもよい。
【００４８】
そして、ボックスカバー１１及び配線用ボックス１２をコンクリート壁Ｗに埋設し、さらに、凹部１３ｃの内底面に臨む第２固定孔１５ａを使用して火災報知器２２を配線用ボックス１２に設置する場合には、コンクリート打設時、遮断壁１３ｄにより凹部１３ｃにコンクリートが流れ込むことが防止される。従って、第１実施形態のように、凹部１３ｃにキャップ部材Ｃを内嵌する作業を行わなくても、第２固定孔１５ａがコンクリートに埋まることがない。
【００４９】
一方、立設部１３の端面に臨む第１固定孔１４ａを使用してコンセント２１をコンクリート壁Ｗに設置する場合、図１１に示すように、ボックスカバー１１をコンクリート壁Ｗに埋設する前に、立設部１３における凹部１３ｃの側部である遮断壁１３ｄを除去する。すると、凹部１３ｃが、立設部１３の外側方に向かって開放される。このとき、溝１３ｅにより、遮断壁１３ｄの除去作業が容易に行える。そして、コンクリートが打設されると、凹部１３ｃにコンクリートが流れ込み、第２固定孔１５ａがコンクリートに埋まり、第１固定孔１４ａのみがコンクリート壁Ｗの前面側に露出する。
【００５０】
・  各実施形態では、配線用ボックス１２の施工現場で、ボックスカバー１１，２５を配線用ボックス１２に取り付けたが、工場等でボックスカバー１１，２５を配線用ボックス１２に予め取り付けた配線用ボックス装置を形成し、その配線用ボックス装置を施工現場に搬入して使用してもよい。
【００５１】
・  第１実施形態では、立設部１３の相対向する一対の短辺及び長辺の中央部にそれぞれ第１固定孔１４ａ及び第２固定孔１５ａを穿設して第１固定部１４及び第２固定部１５を形成したが以下のように変更してもよい。即ち、ボックスカバー１１に対する配線器具の固定の妨げとならない位置であれば第１固定孔１４ａ及び第２固定孔１５ａの位置を変更して第１固定部１４及び第２固定部１５の位置を変更してもよい。
【００５２】
・  各実施形態では開口１１ａ，２５ａを細長四角形状に形成したが、第１固定孔１４ａ，２６ａ間のピッチ８３．５ｍｍと第２固定孔１５ａ，２７ａ間のピッチ６６．７ｍｍを維持できる範囲内であれば、開口１１ａ，２５ａの形状を楕円形状、平行四辺形状、菱形状、五角形状、六角形状、八角形状等に変更してもよい。
【００５３】
・  第１実施形態ではボックスカバー１１に第１固定部１４と第２固定部１５の２箇所を形成したが以下のように変更してもよい。例えば開口１１ａを形成する立設部１３の相対向する一対の長辺に、第２固定孔１５ａとは別に固定孔を形成して３箇所に固定部を設けてもよい。さらには、第１固定孔１４ａ及び第２固定孔１５ａ以外に、それらとは異なるピッチを有する一対の固定孔を複数箇所に設け、固定部を３箇所以上に設けてもよい。さらには、第１固定部１４及び第２固定部１５を２箇所以上に形成してもよい。
【００５４】
・  第２実施形態において、ボックスカバー２５の表面において、立設部２８に第１固定部２６（第１固定孔２６ａ）以外の固定部（固定孔）を１箇所以上設けてもよく、ボックスカバー２５の裏面において、立設部２９に第２固定部２７（第２固定孔２７ａ）以外の固定部（固定孔）を１箇所以上設けてもよい。
【００５５】
・  第１実施形態ではキャップ部材Ｃを使用して第２固定孔１５ａがコンクリートに埋まるのを防止したが、キャップ部材Ｃを使用せず第２固定孔１５ａがコンクリートに埋まらないようにコンクリートを打設してもよい。
【００５６】
・  第１実施形態では、ボックスカバー１１及び配線用ボックス１２をコンクリート壁Ｗに埋設したが、軽量間仕切り壁の内側にボックスカバー１１及び配線用ボックス１２を配設してもよい。前記軽量間仕切り壁は一対の壁材を相対向するように立設して形成されている。そして、ボックスカバー１１及び配線用ボックス１２を軽量間仕切り壁に設置するには、まず、柱の側面に配線用ボックス１２を取り付け、その配線用ボックス１２の開口側にボックスカバー１１を取付ける。次いで、一対の壁材を立設して軽量間仕切り壁の内側にボックスカバー１１及び配線用ボックス１２を配設する。
【００５７】
ボックスカバー１１に配線器具枠１７を取り付け、コンセント２１をボックスカバー１１に取付けるには、ボックスカバー１１の開口１１ａが壁材の表側に臨むように該壁材を切除する。このとき、第１固定部１４のみが壁材の表側に臨み、第２固定部１５は壁材の裏側に隠れるように壁材を切除する。そして、第１固定部１４を利用して配線器具枠１７がボックスカバー１１に取付けられ、コンセント２１が軽量間仕切り壁に設置される。
【００５８】
・  第１実施形態ではキャップ部材Ｃの厚みを凹部１３ｃの深さと同じとなるように形成したが、キャップ部材Ｃの厚みを凹部１３ｃの深さより短くしてもよい。
・  第１実施形態では、立設部１３の厚み内に凹部１３ｃの内底面が位置するように形成したが、凹部１３ｃをボックスカバー１１の表面に達する深さとし、ボックスカバー１１に第２固定孔１５ａを穿設してもよい。このとき、キャップ部材Ｃとしては立設部１３の厚みと同じ厚みのものが使用される。
【００５９】
・  凹部１３ｃを第１固定孔１４ａと第２固定孔１５ａの両方に対応するように立設部１３に形成してもよく、第１固定孔１４ａのみに対応するように立設部１３に形成してもよい。
【００６０】
・  凹部１３ｃを形成せず立設部１３の表面に第２固定孔１５ａが臨むように形成してもよい。
・  各実施形態において、立設部１３，２８，２９を省略してボックスカバー１１，２５を平板状に形成し、そのボックスカバー１１，２５の厚み内に第１固定孔１４ａ，２６ａ及び第２固定孔１５ａ，２７ａを穿設して第１固定部１４，２６及び第２固定部１５，２７を設けてもよい。
【００６１】
・  一対のビス孔１７ａ間のピッチが６６．７ｍｍに設定された配線器具枠１７を使用し、各ビス孔１７ａから第２固定孔１５ａ，２７ａにビス１８を固定してコンセント２１をボックスカバー１１，２５に固定してもよい。
【００６２】
・  一対の鍔部２２ａ間のピッチが８３．５ｍｍに設定された配線器具を、第１固定孔１４ａ，２６ａを用いてボックスカバー１１，２５に固定してもよい。
・  一対の第１固定孔１４ａ，２６ａ間のピッチを８３．５ｍｍ以外の数値に設定してもよく、一対の第２固定孔１５ａ，２７ａ間のピッチを６６．７ｍｍ以外の数値に設定してもよい。
【００６３】
・  第１実施形態では、化粧プレート１９を長さ方向（縦方向）への長さ１２０ｍｍ、幅方向（横方向）への長さ７０ｍｍに設定されたものを使用したが、その他の大きさの化粧プレート１９を使用してもよい。
【００６４】
・  各実施形態では、配線器具としてコンセント２１に具体化したが、コンセント２１以外にスイッチ、タッチパネル、照明器具等に具体化してもよい。
・  また、各実施形態では、配線器具のなかの報知器等として、前記火災報知器２２に具体化したが、火災報知器２２の代わりに、熱感知器、煙検知器又はガス漏れ警報器をボックスカバー１１，２５に固定して配線用ボックス１２に設置してもよい。
【００６５】
・  各実施形態では、ボックスカバー１１，２５が取り付けられた配線用ボックス１２をコンクリート壁Ｗに埋設したが、ボックスカバー１１，２５が取り付けられた配線用ボックス１２を壁板の裏側、天井の裏側、コンクリート天井内に設置してもよい。
【００６６】
次に、上記実施形態及び別例から把握できる技術的思想について、それらの効果とともに以下に追記する。
（１）前記開口は細長四角形状に形成されているとともに、前記固定部は２箇所に設けられ、開口を形成する相対向する一対の短辺の中央部に、一方の固定部における一対の固定孔が形成されているとともに、開口を形成する相対向する一対の長辺の中央部に、他方の固定部における一対の固定孔が形成されていることを特徴とする請求項３〜請求項７のいずれか一項に記載のボックスカバー。このように構成した場合、一方の固定部と他方の固定部とはそれぞれ互いに最も離れた位置に形成され、未使用の固定部がボックスカバーに固定された配線器具の固定の妨げになることを防止することができる。
【００６７】
（２）箱状をなす配線用ボックスと、同配線用ボックスの開口側に取り付けられるとともに、配線器具が取着された配線器具枠又は配線器具が固定されて前記配線器具を配線用ボックスに設置するボックスカバーとより構成され、前記ボックスカバーの表面及び裏面の各面において、前記配線用ボックス内に前記配線器具を挿入するための開口の縁部には、前記配線器具枠又は配線器具に形成された一対のビス孔に挿通されたビスを固定可能とする一対の固定孔よりなる固定部が、少なくとも１箇所ずつ設けられ、表面の固定部における一対の固定孔間のピッチと、裏面の固定部における一対の固定孔間のピッチは、それぞれ異なる一対のビス孔間のピッチと対応するように設定されていることを特徴とする配線用ボックス装置。
【００６８】
（３）箱状をなす配線用ボックスと、同配線用ボックスの開口側に取り付けられるとともに、配線器具が取着された配線器具枠又は配線器具が固定されて前記配線器具を配線用ボックスに設置するボックスカバーとより構成され、前記ボックスカバーには、配線用ボックス内に前記配線器具を挿入するための開口が形成され、その開口の縁部には、前記配線器具枠又は配線器具に形成された一対のビス孔から挿通されたビスが固定される一対の固定孔よりなる固定部が複数箇所に設けられ、少なくとも２箇所の固定部における一対の固定孔間のピッチは、２種類の一対のビス孔間のピッチと対応するように設定されているとともに、前記少なくとも２箇所の固定部は、相対向する一対の固定孔を結ぶ仮想線が交差する位置に設けられていることを特徴とする配線用ボックス装置。
【図面の簡単な説明】
【００６９】
【図１】第１実施形態のボックスカバーを示す正面図。
【図２】第１実施形態のボックスカバー、配線用ボックス等を示す分解斜視図。
【図３】配線用ボックスをコンクリート壁に埋設した状態を示す側断面図。
【図４】コンクリート壁に臨むボックスカバーの立設部を示す正面図。
【図５】ボックスカバーに配線器具枠を固定した状態を示す正面図。
【図６】ボックスカバーに化粧プレートを取り付けた状態を示す正面図。
【図７】凹部にキャップ部材を内嵌した状態を示す側断面図。
【図８】コンクリート壁に火災報知器を固定した状態を示す正面図。
【図９】（ａ）は第２実施形態のボックスカバーの表面を示す図、（ｂ）は第２実施形態のボックスカバーの側面図、（ｃ）は第２実施形態のボックスカバーの裏面を示す図。
【図１０】別例のボックスカバーを示す斜視図。
【図１１】別例のボックスカバーの凹部周縁部を示す斜視図。
【符号の説明】
【００７０】
Ｃ…キャップ部材、Ｌ１，Ｌ２，Ｌ３，Ｌ４…仮想線、Ｍ１，Ｍ２…仮想面、Ｗ…コンクリート壁、１１，２５…ボックスカバー、１１ａ，２５ａ…開口、１２…配線用ボックス、１３，２８，２９…立設部、１３ｃ…凹部、１３ｄ…遮断壁、１４，２６…第１固定部、１４ａ，２６ａ…第１固定孔、１５，２７…第２固定部、１５ａ，２７ａ…第２固定孔、１７…配線器具枠、１７ａ…ビス孔、１８…ビス、２１…配線器具としてのコンセント、２２…配線器具、報知器としての火災報知器、２２ｂ…ビス孔。
【図１】
2004254495.tif 000003
【図２】
2004254495.tif 000004
【図３】
2004254495.tif 000005
【図４】
2004254495.tif 000006
【図５】
2004254495.tif 000007
【図６】
2004254495.tif 000008
【図７】
2004254495.tif 000009
【図８】
2004254495.tif 000010
【図９】
2004254495.tif 000011
【図１０】
2004254495.tif 000012
【図１１】
2004254495.tif 000013